(57)【要約】【課題】リング翼単体から成るリング翼飛翔体の飛行安定性および飛行距離性能を向上させる。【解決手段】円筒のリング翼飛翔体１０Ａに回転推進力を与えることが出来るように、リング翼飛翔体１０Ａのフック１２に輪ゴム２１を掛けてリング翼飛翔体１０Ａとペットボトル３０の双方を指で掴んだ状態で輪ゴム２１の弾性力に抗して後方に引っ張りながら捻り、そして、指を緩めるとリング翼飛翔体１０Ａがペットボトル３０の外周面をスライドしながら発射するように構成する。【選択図】図１
0003132243.tif 000002
【実用新案登録請求の範囲】
【請求項１】
投影形状が円形で中空部を有するリング翼飛翔体と、該中空部に挿通され該リング翼飛翔体が発射するまでの該リング翼飛翔体の形状を保持する形状保持手段と、該リング翼飛翔体を前方に発射する発射手段とを備え、該リング翼飛翔体は、指で掴まれ且つ該発射手段に属するゴムを掛けられた状態で、該ゴムの弾性力に抗しながら後方に引かれ捻られ方向を定めることが出来るように構成され、そして指を緩めることにより旋回しながら飛行することを特徴とするリング翼飛翔玩具。
【請求項２】
前記リング翼飛翔体の先端部の板厚は他の部位に比べ厚くなり、その先端部の外周面には前記発射手段に係止する複数のフックを軸対称に備えている請求項１に記載のリング翼飛翔玩具。
【請求項３】
前記リング翼飛翔体は、素材を折り畳むことが出来る場合は、該素材を矩形に成形し該矩形の一辺を複数回折り畳んで先端部を厚く形成して重りとし、次に該先端部を挟む二辺を丸めながら接合してロール状に形成することから成る請求項２に記載のリング翼飛翔玩具。
【請求項４】
前記リング翼飛翔体は、素材を折り畳むことが出来ない場合は、該素材の内周面の先端部に粘着物を貼り重ねて該先端部を厚くし重りを形成することから成る請求項１又は２に記載のリング翼飛翔玩具。
【請求項５】
前記リング翼飛翔体の軸方向の長さＬは、その外径をＤとする時、Ｌ＝０.５〜１.５×Ｄとなるように設定されている請求項１から４の何れかに記載のリング翼飛翔玩具。
【請求項６】
前記リング翼飛翔体の後縁部は波状に形成されている請求項１から５の何れかに記載のリング翼飛翔玩具。
【請求項７】
前記リング翼飛翔体の後縁部は軸芯に対し斜めに形成されている請求項１から６の何れかに記載のリング翼飛翔玩具。
【請求項８】
前記発射手段は、輪ゴムを前記フックに掛け、指で前記リング翼飛翔体を保持した状態で後方へ引っ張りながら捻り、その保持を解除することにより該リング翼飛翔体に回転推進力を与えるように構成されている請求項１から７の何れかに記載のリング翼飛翔玩具。
【請求項９】
前記形状保持手段は手で掴むことが出来るボトルであり、該ボトルを前記リング翼飛翔体の中空部に差し込むことにより該リング翼飛翔体が発射するまでの形状を保持し、方向を定めるように構成されている請求項１から８の何れかに記載のリング翼飛翔玩具。
【考案の詳細な説明】
【技術分野】
【０００１】
本考案は、リング翼飛翔玩具、特にリング翼単体から成るリング翼飛翔体を安定に且つ長い飛行距離で飛行させることを特徴とするリング翼飛翔玩具に関するものである。
【背景技術】
【０００２】
一般の飛行機は、翼の端に生じる渦（翼端渦）による空気抵抗が大きな問題となっている。この問題を解決するには、グライダーのように翼を出来るだけ長くすることが空気抵抗の低減に対し有効であるが、強度の問題が別途生じる。そのため、翼の長さは変えずに、翼端にウイングレット（渦を小さくするための垂直な小翼（板））をつけることにより空気抵抗を低減する方法が行われている。ところで、翼の両端をつなぐと端はなくなり、その結果、翼端渦による空気抵抗はなくなり全体の空気抵抗は大幅に低減される。理論上、リング翼飛翔体の空気抵抗は、平面端よりも５０％も減少することになる。このリング翼を利用した紙飛行機が知られている（例えば、非特許文献１および非特許文献２を参照。）。
【０００３】
【非特許文献１】”紙飛行機デザイン工房”、[online］、インターネット＜ＵＲＬ：http://www.kankanbou.com/kami/dock/＞
【非特許文献２】”ぶんぶろぐ：リング翼飛翔体”、[online］、インターネット＜ＵＲＬ：http://bun-hobby.cocolog-nifty.com/pplanes/2004/10/post_17.html＞
【考案の開示】
【考案が解決しようとする課題】
【０００４】
上記リング翼を利用した紙飛行機は、リング翼が胴体および尾翼などと組み合わされているため、手首のスナップ運動だけで発射され、安定して飛行することが出来る。
しかし、リング翼単体の場合、上記紙飛行機のように手首のスナップ運動だけでは安定して長い距離を飛行することは出来ない。また、手首のスナップ運動は、手首の関節を痛めるおそれがある。
そこで、本考案は上記従来技術の問題点に鑑みなされたものであって、その解決しようとする課題は、リング翼単体から成るリング翼飛翔体を安定に且つ長い飛行距離で飛行させることを特徴とするリング翼飛翔玩具を提供することにある。
【課題を解決するための手段】
【０００５】
上記目的を達成するための請求項１に記載のリング翼飛翔玩具は、投影形状が円形で中空部を有するリング翼飛翔体と、該中空部に挿通され該リング翼飛翔体が発射するまでの該リング翼飛翔体の形状を保持する形状保持手段と、該リング翼飛翔体を前方に発射する発射手段（発射機）とを備え、該リング翼飛翔体は、指で掴まれ且つ該発射手段に属するゴムを掛けられた状態で、該ゴムの弾性力に抗しながら後方に引かれ捻られ方向を定めることが出来るように構成され、そして指を緩めることにより旋回しながら飛行することを特徴とする。
上記リング翼飛翔玩具では、リング翼飛翔体はゴムを掛けられた状態で、指で掴まれ、後方に引かれ捻られ方向を定めることが出来るように構成されているため、その指を緩めた瞬間にリング翼飛翔体は旋回しながら飛行するようになる。これにより、リング翼飛翔体は飛行姿勢が安定し且つ遠くまで飛ぶことが出来るようになる。
【０００６】
請求項２に記載のリング翼飛翔玩具では、前記リング翼飛翔体の先端部の板厚は他の部位に比べ厚くなり、その先端部の外周面には前記発射手段に係止する複数のフックを軸対称に備えていることとした。
上記リング翼飛翔玩具では、上記構成とすることにより、先端部が重くなりリング翼飛翔体の飛行姿勢を安定させることが出来る。また、フックをしっかりと取り付けることができ、その結果、リング翼飛翔体を好適に後方に引きながら捻ることが出来るようになり、リング翼飛翔体の飛行距離が延びるようになる。
【０００７】
請求項３に記載のリング翼飛翔玩具では、前記リング翼飛翔体は、素材を折り畳むことが出来る場合は、該素材を矩形に成形し該矩形の一辺を複数回折り畳んで先端部を厚く形成して重りとし、次に該先端部を挟む二辺を丸めながら接合してロール状に形成することから成ることとした。
上記リング翼飛翔玩具では、上記構成とすることにより、好適にリング翼飛翔体の先端部を重く且つ板厚を厚くすることが出来るようになる。
【０００８】
請求項４に記載のリング翼飛翔玩具では、前記リング翼飛翔体は、素材を折り畳むことが出来ない場合は、該素材の内周面の先端部に粘着物を貼り重ねて該先端部を厚くし重りを形成することから成ることとした。
上記リング翼飛翔玩具では、上記構成とすることにより、素材が折り畳むことが出来ない場合であっても、好適にリング翼飛翔体の先端部を重く且つ板厚を厚くすることが出来るようになる。
【０００９】
請求項５に記載のリング翼飛翔玩具では、前記リング翼飛翔体の軸方向の長さＬは、その外径をＤとする時、Ｌ＝０.５〜１.５×Ｄとなるように設定されていることとした。
上記リング翼飛翔玩具では、上記構成とすることにより、リング翼飛翔体の飛行距離が延びるようになる。
【００１０】
請求項６に記載のリング翼飛翔玩具では、前記リング翼飛翔体の後縁部は波状に形成されていることとした。
上記リング翼飛翔玩具では、上記構成とすることにより、後縁部近傍に小さな渦が発生してリング翼飛翔体の飛行姿勢が安定するようになる。
【００１１】
請求項７に記載のリング翼飛翔玩具では、前記リング翼飛翔体の後縁部は軸芯に対し斜めに形成されていることとした。
上記リング翼飛翔玩具では、上記構成とすることにより、リング翼飛翔体の飛行姿勢が安定するようになる。
【００１２】
請求項８に記載のリング翼飛翔玩具では、前記発射手段は、輪ゴムを前記フックに掛け、指で前記リング翼飛翔体を保持した状態で後方へ引っ張りながら捻り、その保持を解除することにより該リング翼飛翔体に回転推進力を与えるように構成されていることとした。
上記リング翼飛翔玩具では、上記構成とすることにより、リング翼飛翔体は旋回しながら飛行し、その結果、リング翼飛翔体の飛行姿勢が安定すると共にその飛行距離が大幅に延びることになる。
【００１３】
請求項９に記載のリング翼飛翔玩具では、前記形状保持手段は手で掴むことが出来るボトルであり、該ボトルを前記リング翼飛翔体の中空部に差し込むことにより該リング翼飛翔体が発射するまでの形状を保持するように構成されていることとした。
上記リング翼飛翔玩具では、上記構成とすることにより、簡易な機構で好適にリング翼飛翔体の形状を保持することが出来るようになる。従って、リング翼飛翔体に好適に捻りを加えることが出来るようになる。
【考案の効果】
【００１４】
本考案のリング翼飛翔玩具によれば、手首のスナップ運動だけでは安定飛行させることが難しいリング翼単体から成るリング翼飛翔体に対し回転推進力を与えることが出来る。これにより、リング翼飛翔体は旋回しながら飛行するようになり、その結果、飛行姿勢が安定し飛行距離が大幅に延びることになる。また、リング翼飛翔体は簡易な発射手段および形状保持手段によって後方に引かれながら捻られ方向を定めるように構成されているため、腕力の乏しい子供であっても本考案のリング翼飛翔玩具を簡単に扱うことができ、従って子供から大人までの幅広い年齢層で趣味として或いは競技等として楽しむことが出来る。
【考案を実施するための最良の形態】
【００１５】
以下、図に示す実施の形態により本考案をさらに詳細に説明する。
【実施例】
【００１６】
図１は、本考案の実施形態に係るリング翼飛翔玩具１００を示す斜視説明図である。
このリング翼飛翔玩具１００は、飛行するリング翼飛翔体１０Ａと、このリング翼飛翔体１０Ａに回転推進力を与える発射手段としての発射機２０と、リング翼飛翔体１０Ａに捻り力等の外力が負荷された際にリング翼飛翔体１０Ａの変形を防止する変形防止手段としてのペットボトル３０とを具備して構成されている。なお、詳細については後述するが、リング翼飛翔体１０Ａは中空構造を成し、ユーザがその中空部にペットボトル３０を差し込み、輪ゴム２１をフック１２に掛け、そしてリング翼飛翔体１０Ａを手で掴んだ状態で後方に引っ張りながら捻りも加えて発射可能状態を作る。その後、発射のトリガーとなる手を緩めることにより、前方に旋回しながら飛行するように構成されている。これにより、手首のスナップ運動だけでは安定して長い距離を飛行させることが難しかった従来のリング翼単体から成るリング翼飛翔体を安定して長い距離で飛行させることが出来るようになる。
【００１７】
リング翼飛翔体１０Ａは、発射機２０の輪ゴム２１を掛けるフック１２を軸対称に２個備えた円形中空構造を成している。また、その本体は広告紙、ノート、画用紙、プラスチック樹脂（ペットボトル）等の素材から成り、その先端部についてはその素材が折り畳むことができる場合は、複数回折り畳まれ板厚がそれ以外の部位に比べ厚くなっている。一方、その素材が折り畳むことが出来ないものである場合は、その内周面に粘着テープ等を貼り重ねることにより、その先端部を厚くしてある。また、リング翼飛翔体１０Ａの内径Ｄ２は、ペットボトル（外径：Ｄ１）が挿入することが出来る大きさで、Ｄ２の上限がＤ１の約１.５倍程度であれば、発射に関し何ら支障がない。また、リング翼飛翔体１０Ａの詳細については、図２を参照しながら後述する。
【００１８】
発射機２０は、輪ゴム２１の弾性エネルギーを利用した、いわゆるゴムパチンコと類似した構成を成しているが、輪ゴム２１の交換が容易となり、なお且つリング翼飛翔体１０Ａが発射される際および発射された後に輪ゴム２１が外れないための外れ防止段差機構を備えている。また、リング翼飛翔体１０Ａの詳細については、図３を参照しながら後述する。
【００１９】
ペットボトル３０は、リング翼飛翔体１０Ａの中空部に差し込まれてそれと一体となり、リング翼飛翔体１０Ａに捻り力等の外力が加えられた際のリング翼飛翔体１０Ａの変形を防止する。また、標的に対するガイドとしての機能も併せ持っている。なお、ペットボトル以外にアルミ等の飲料ボトルでも良い。また、大きさとしては手のひらサイズの方が好ましく、形状としては円筒構造または多角形筒構造が好ましい。
【００２０】
図２は、本考案に係るリング翼飛翔体１０Ａを示す説明図である。なお、図２（ａ）は斜視図であり、図２（ｂ）は図（ａ）のＡ−Ａ’断面図である。
このリング翼飛翔体１０Ａは、その素材が複数回折り畳まれた折り込み部１１ａを作り、その折り込み部１１ａをリング状に巻いて成形することから成る本体１１Ａと、その折り込み部１１ａの外周面に取り付けられ輪ゴム２１を係止するフック１２とから構成される。
【００２１】
折り込み部１１ａは、素材が紙等の折り畳むことが容易な素材に対して適用され、折り畳むことが難しい素材、例えばプラスチック、アルミ缶の場合は、粘着テープ等を巻いて厚みを持たせるようにする。この折り込み部１１ａはリング翼飛翔体飛行体１０Ａの飛行時の姿勢を安定させる重りとして機能する。
【００２２】
フック１２は、その詳細については図４を参照しながら後述するが、折り込み部１１ａに接着剤又は両面テープ等を介して取り付けられる。
【００２３】
また、リング翼飛翔体１０Ａの長さＬとしては、その外径をＤとする時にＬ＝０.５〜１.５Ｄとなるように設定することが好ましい。
【００２４】
また、このリング翼飛翔体１０Ａは、前縁部と後縁部１３が平行となるように構成された実施例であり、その他の実施例については、図７〜９を参照しながら後述する。
【００２５】
図３は、本考案に係る発射機２０を示す説明図である。
この発射機２０は、リング翼飛翔体１０Ａの回転推進源となる輪ゴム２１と、発射台となる構体２２とから成る。特に、輪ゴム２１が係留される部位の構造について、Ｃ部拡大図に示す通り、輪ゴム２１が外れにくい外れ防止段差構造２２ｂとなっている。つまり、ユーザが輪ゴム２１をリング翼飛翔体１０Ａのフック１２に掛け、リング翼飛翔体１０Ａを後方に引っ張りながら捻ってリング翼飛翔体１０Ａの発射可能状態を作り、そしてリング翼飛翔体１０Ａから手を緩めることにより、リング翼飛翔体１０Ａが飛行するまでの過程並びにそれが飛行した後における輪ゴム２１の脱落を好適に防止することが出来る構造となっている。
【００２６】
図４は、本考案に係るフック１２のバリエーションを示す説明図である。なお、図４（ａ）は平面接着型フックを示し、同（ｂ）は挟み接着型フックを示し、同（ｃ）はピン挟み接着型フックを示している。
【００２７】
平面接着型フックは、接着剤または両面テープを介してリング翼飛翔体１０Ａの本体１１Ａへ取り付けられるように構成されている。
【００２８】
挟み接着型フックも、接着剤または両面テープを介してリング翼飛翔体１０の本体１１へ取り付けられる点に関しては平面接着型フックと共通するが、折り込み部１１ａを挟みながらリング翼飛翔体１０Ａの本体１１Ａに取り付けられる点が異なる。
【００２９】
ピン挟み接着型フックは、折り込み部１１ａに刺すことが出来るピンをその折り込み部１１ａと対向する面に備え、そのピンと、接着剤または両面テープによってリング翼飛翔体１０Ａの本体１１Ａに取り付けられるように構成されている。
【００３０】
図５は、本考案のリング翼飛翔玩具１００の遊ぶ方法を示す説明図である。
先ず、図５（ａ）に示すように、リング翼飛翔体１０Ａの中空部にペットボトル３０を差し込む。
【００３１】
次に、同（ｂ）に示すように、発射機２０の輪ゴム２１をリング翼飛翔体１０Ａのフック１２に掛ける。
【００３２】
次いで、同（ｃ）に示すように、リング翼飛翔体１０Ａを後方に引っ張りながら捻る。その際、リング翼飛翔体１０Ａとペットボトル３０を指で軽く押さえ、リング翼飛翔体１０Ａがペットボトル３０に対し摺動しないようにする。なお、捻りの程度を示す捻り動作角については、図６を参照しながら後述する。
【００３３】
同（ｄ）に示すように、リング翼飛翔体１０Ａを掴んでいた指を緩めると、リング翼飛翔体１０Ａはペットボトル３０から離れ旋回しながら前方に飛行する。
【００３４】
図６は、リング翼飛翔体１０Ａの捻り動作角γを示す説明図である。なお、図６（ａ）はリング翼飛翔体１０Ａに対し捻りを加えない状態を示し、同（ｂ）は捻りを加えた後の状態を示している。
この捻り動作角γは、リング翼飛翔体１０Ａの重さや柔らかさに応じて決定される。一般に、捻り動作角γが大きい程、リング翼飛翔体１０Ａの旋回力が増し直進安定性（飛行安定性）および飛行距離を増大させる。
【００３５】
図７は、本考案に係る他のリング翼飛翔体１０Ｂを示す説明図である。なお、図７の（ａ）は斜視図であり、同（ｂ）は同（ａ）のＢ−Ｂ’断面図である。
このリング翼飛翔体１０Ｂは、上記リング翼飛翔体１０Ａと異なり、後縁部が波形状に形成され波状切断部１３Ｂを成している。このように後縁部を波状に成形することにより、後縁部近傍に小さな渦が発生してリング翼飛翔体の直進安定性が増大するようになる。なお、後縁部以外の構成については上記リング翼飛翔体１０Ａと同じである。
【００３６】
図８は、本考案に係る他のリング翼飛翔体１０Ｃを示す説明図である。
このリング翼飛翔体１０Ｃは、その後縁部が斜めに切断された斜切断部１３Ｃを成している。
【００３７】
図９は、本考案に係る他のリング翼飛翔体１０Ｄを示す説明図である。
このリング翼飛翔体１０Ｄは、その後縁部が斜めに切断された上に波状に形成された斜波状切断部１３Ｄを成している。
【産業上の利用可能性】
【００３８】
本考案のリング翼飛翔玩具は、子供から大人までの幅広い年齢層で趣味として或いは競技として低コストで手軽に楽しむことが出来る飛行玩具に対して適用され得る。
【図面の簡単な説明】
【００３９】
【図１】本考案の実施形態に係るリング翼飛翔玩具を示す斜視説明図である。
【図２】本考案に係るリング翼飛翔体を示す説明図である。
【図３】本考案に係る発射機を示す説明図である。
【図４】本考案に係るフックのバリエーションを示す説明図である。
【図５】本考案のリング翼飛翔玩具の遊ぶ方法を示す説明図である。
【図６】リング翼飛翔体１０Ａの捻り動作角γを示す説明図である。
【図７】本考案に係るリング翼飛翔体を示す説明図である。
【図８】本考案に係るリング翼飛翔体を示す説明図である。
【図９】本考案に係るリング翼飛翔体を示す説明図である。
【符号の説明】
【００４０】
１０Ａ,１０Ｂ,１０Ｃ,１０Ｄ      リング翼飛翔体
１１Ａ,１１Ｂ,１１Ｃ,１１Ｄ      本体
１２                             フック
２０                             発射機
２１                             輪ゴム
３０                             ペットボトル
１００                           リング翼飛翔玩具
【図１】
0003132243.tif 000003
【図２】
0003132243.tif 000004
【図３】
0003132243.tif 000005
【図４】
0003132243.tif 000006
【図５】
0003132243.tif 000007
【図６】
0003132243.tif 000008
【図７】
0003132243.tif 000009
【図８】
0003132243.tif 000010
【図９】
0003132243.tif 000011
【手続補正書】
【提出日】平成19年3月22日(2007.3.22)
【手続補正１】
【補正対象書類名】実用新案登録請求の範囲
【補正対象項目名】請求項１
【補正方法】変更
【補正の内容】
【請求項１】
投影形状が円形で中空部を有するリング翼飛翔体と、該中空部に挿通され該リング翼飛翔体が発射するまでの該リング翼飛翔体の形状を保持し断面形状が円形である形状保持手段と、該リング翼飛翔体を前方に発射しゴムを有する発射手段とを備え、該リング翼飛翔体は、指で掴まれ且つ該発射手段に属する前記ゴムを掛けられた状態で、該ゴムの弾性力に抗しながら後方に引かれ捻られ方向を定めることが出来るように構成されていることを特徴とするリング翼飛翔玩具。